(57)【要約】【課題】レーザー発振器から照射されたレーザー光が切断材料の上面がレーザー発振器に対し反対側を向いている場合でも切断材料の上面を照射できるようにする。【解決手段】ホルダ５に支持部材３２を固定し、支持部材３２にレーザー発振器３０が前後方向に水平移動自在に設け、切断刃物部８が上限位置にあるとき、レーザー光Ｌの一部又は全部が切断刃物１０の下方を通過し、切断刃物１０に邪魔されることなく、また、切断材料４１の影になることなく、切断材料４１の上面にレーザー光Ｌが照射される。【選択図】  図１
2004345040.tif 000002
【特許請求の範囲】
【請求項１】
切断材料を支持するベース部にホルダを立設し、ホルダにベース部に対し上下揺動自在な切断刃物部を設けた卓上切断機であって、前記切断刃物部が上限位置にあるときレーザー光の一部又は全部が切断刃物の下方を通過し、切断材料の上面を照射するレーザー発振器を前後方向に水平移動自在にホルダに設けたことを特徴とする切断機。
【請求項２】
切断刃物部が上限時にレーザー発振器が前方に突出し、切断刃物部を下限方向への揺動動作に連動しレーザー発振器が後方へ水平移動自在にしたことを特徴とする第１項記載の切断機。
【発明の詳細な説明】
【０００１】
【発明の属する技術分野】
本発明は、帯のこ盤、卓上丸のこなどのレーザー発振器を用いる切断機に関するものである。
【０００２】
【従来の技術】
従来技術として、ベース部上に載置された被切断材料の上面にレーザー光を照射可能なレーザー発振器を設けた切断機が開示された特開２０００−２２５６０３号公報や、切断時にレーザー光を遮光する遮光部材を設けた切断機が開示された特開２００２−１７８２２０号公報がある。
【０００３】
特開２０００―２２５６０３号公報は、レーザー発振器を有し、切断刃物部が上限位置にあるときレーザー光の一部又は全部が切断刃物の下方を通過し、材料の上面を照射する構成になっている。
【０００４】
特開２００２―１７８２２０号公報は、切断材を切断するために切断機本体を下動させると、切粉集塵ガイドにより、レーザー光が遮光されて切断材の切断部位には照射されない構成になっている。
【特許文献１】
特開２０００−２２５６０３号公報
【特許文献２】
特開２００２−１７８２２０号公報
【０００５】
【発明が解決しようとする課題】
特開２０００−２２５６０３号公報に開示された図８に示すような切断機の場合、切断材料の上面がレーザー発振器のある側を向いている場合は、レーザー光が切断材料の上面に照射されるため切断刃物の位置が示される。しかし、図９に示すように、切断材料の上面がレーザー発振器に対し反対側を向いている場合は、レーザー光が切断材料に遮られ、レーザー光が切断材料の上面に照射されず切断刃物の位置が示されない。
【０００６】
本発明の目的は、上記した従来の欠点をなくし、レーザー光が切断材料の上面がレーザー発振器に対し反対側を向いている場合でも切断材料の上面を照射できるようにすることである。
【０００７】
【課題を解決するための手段】
上記目的は、レーザー発振器を前記切断刃物部が上限位置にあるときレーザー光の一部又は全部が切断刃物の下方を通過し、切断材料の上面を照射するようベース部に対し水平方向に摺動自在にホルダに設け、切断刃物部が上限位置にあるときレーザー発振器が切断材料の上面に近づく方向に水平移動し、切断刃物部が下限位置にあるとき切断刃物部がレーザー発振器に接触しないよう、レーザー発振器が切断材料の上面位置から離れる方向に水平移動する装置を設けることにより達成される。
【０００８】
【発明の実施の形態】
本発明切断機の実施形態を図１〜図４により説明する。図１は切断機の全体側面図、図２は部分背面図、図３は部分正面図、図４は図１のＡ−Ａ線断面図である。
【０００９】
図において、ベース１の中央にターンテーブル２を水平方向へ回動自在に埋設し、ターンテーブル２の上面は、ベース１の上面と同一面となっている。ベース１及びターンテーブル２の上面には木材等の切断材料４１が載置される。なお、本発明においては切断材料４１が載置される部材（本実施形態においてはベース１とターンテーブル２）を総称してベース部という。ベース１上面に切断材料４１の側面を支持するフェンス３を固定している。ターンテーブル２後端にはホルダシャフト４を介してホルダ５を立設し、ホルダシャフト４の軸心は、ターンテーブル２上面とほぼ一致するように位置させることで、ホルダ５はホルダシャフト４を支点にターンテーブル２の上面を中心に左右傾斜自在に軸支されている。
【００１０】
図２に示すように、ホルダ５の後部からはホルダシャフト４を中心とする長穴５ａが形成され、長穴５ａにクランプレバー６を貫通させ、クランプレバー６の先端に形成したねじ部がターンテーブル２背面に形成したねじ穴部にねじ嵌合している。クランプレバー６を緩めると、ホルダ５はホルダシャフト４を支点に長穴５ａの範囲内で傾斜し、クランプレバー６を締め付けると、ホルダ５はターンテーブル２とクランプレバー６間に締め付けられ、任意位置で固定される。なお、長穴５ａはホルダ５が左右４５度傾斜できる範囲内で形成されている。
【００１１】
ホルダ５上方にはシャフト７を介してベース１上面に対し上下揺動自在に切断刃物本体８を軸支している。ホルダ５と切断刃物本体８の間には、切断刃物本体８を上方に付勢するスプリング９が設けられている。
【００１２】
切断刃物本体８は切断刃物軸１６、丸のこなどの切断刃物１０、切断刃物１０の上半部を覆うのこカバー１１と一体となっているギヤケース１２、切断刃物１０を回転駆動するモートル１３、モートル１３のモートル軸１４、伝達ベルト２３、モートル１３及びモートル軸１４を覆い支持するモートルハウジング１５、ハンドル２６で構成されている。
【００１３】
図４に示すように、ギヤケース１２の下方には、水平方向に切断刃物軸１６を設け、切断刃物軸１６は軸受１７、１８で回転自在に支持され、この切断刃物軸１６の一端にボルト１９で切断刃物１０を固定し、切断刃物軸１６に動力を伝達するプーリ２０を設けている。ギヤケース１２上方にはモートルハウジング１５が設けられ、その内部に切断刃物１０を回転駆動するモートル１３が備えられている。軸受２１で回転自在に支持されたモートル１３のモートル軸１４の先端には、プーリ２２がプーリ２０の上方に位置するように設けられている。このプーリ２０、２２間に伝達ベルト２３を張り渡している。この伝達ベルト２３によりモートル１３の動力は、モートル軸１４からプーリ２２、伝達ベルト２３、プーリ２０、切断刃物軸１６を介し切断刃物１０に伝達されている。
【００１４】
ホルダ５の前面にはＶ字状の突起部５ｂが装着され、ターンテーブル２上面後方には突起部５ｂの移動軌跡上に位置するようにストッパボルト２４、２５が直角方向にねじ嵌合している。ホルダ５を傾斜させると、所定の傾斜角度で突起部５ｂがストッパボルト２４又はストッパボルト２５の頭部に係合し、切断刃物本体８の傾斜位置を設定する。通常、ストッパボルト２４、２５は、ホルダ５が左右方向に４５度の位置に傾斜したときに突起部５ｂに係合するように設けられている。
【００１５】
ターンテーブル２の上面には、中央に切断刃物１０が侵入する溝部を有する図示しない刃口板が固定され、切断材料４１の切断時、切断刃物１０の下端がターンテーブル２上面よりも下降したとき、前記刃口板の溝部に侵入し、切断材料４１の仕上面へのけば立ちを防止する役目を果たしている。
【００１６】
図３において、ホルダ５に支持部材３２を固定し、図５に示すように支持部材３２にレーザー発振器３０が前後方向に水平移動自在に挿入されている。レーザー光Ｌはレーザー発振器３０の照射部３０ａから照射され、支持部材３２は切断刃物部８が上限位置にあるとき、レーザー光Ｌの一部又は全部が切断刃物１０の下方を通過し、また、切断材料４１の影にならないようにレーザー発振器３０を設けている。なお、レーザー発振器３０には図示していないが、レーザー光Ｌを照射するためのスイッチを設けている。また、本実施形態では、レーザー発振器３０のレーザー光Ｌの照射部３０ａは、切断刃物１０の刃先１０ａの延長線上に位置している。
【００１７】
上記構成において、切断刃物部８が上限位置にあるとき、切断材料４０の上面がレーザー発振器３０に対し反対側を向いている場合は、レーザー光Ｌが切断材料４１に遮られ、レーザー光Ｌが切断材料４１の上面に照射されず切断刃物１０の位置が示されないが、レーザー発振器３０をホルダ５から離れる方向に水平に手動することによって、レーザー発振器３０から照射されたレーザー光Ｌは、切断刃物１０の刃先１０ａよりも下方を通過し、切断刃物１０に邪魔されることなく、また、切断材料４１の影になることなく、切断材料４１の上面にレーザー光Ｌが照射される。
【００１８】
次に切断材料４１を切断するときには、切断刃物部８がレーザー発振器３０に接触しないようにするため、図６に示すように、レーザー発振器３０をホルダ５の方向に水平に手動させる。
【００１９】
他の実施形態として、図７に示すように、切断刃物部８が上限位置から下限方向への揺動動作するときに、リンク５１等を用いてレーザー発振器３０が切断刃物部８に連動する構成としても良い。
【００２０】
なお、本実施形態は切断刃物を揺動させる卓上丸のこの切断機を例として説明したが、揺動式帯のこ盤などの切断機にも応用可能である。
【００２１】
【発明の効果】
本発明によれば、切断材料の上面がレーザー発振器に対し反対側を向いている場合でも、レーザー発振器を前後方向に水平移動自在することによってレーザー発振器から照射されたレーザー光を切断材料の上面に照射できる。
【図面の簡単な説明】
【図１】本発明の一実施形態を示す切断機の全体側面図。
【図２】切断機の部分背面図。
【図３】切断機の部分正面図。
【図４】図１のＡ−Ａ線断面図。
【図５】図３のＢ−Ｂ線一部断面図。
【図６】本発明の一実施形態を示す切断機の全体側面図。
【図７】他の実施形態を示す切断機の全体側面図。
【図８】従来の切断機の全体側面図。
【図９】従来の切断機の全体側面図。
【符号の説明】
５…ホルダ、８…切断刃物本体、１０…切断刃物、３０…レーザー発振器、３２…支持部材、４１…切断材料、５１…リンク、Ｌ…レーザー光。
【図１】
2004345040.tif 000003
【図２】
2004345040.tif 000004
【図３】
2004345040.tif 000005
【図４】
2004345040.tif 000006
【図５】
2004345040.tif 000007
【図６】
2004345040.tif 000008
【図７】
2004345040.tif 000009
【図８】
2004345040.tif 000010
【図９】
2004345040.tif 000011